(57)【特許請求の範囲】
【請求項１】
タブ付シート、又はシートを給紙して印刷処理を行う印刷装置であって、
前記タブ付シートを給紙する給紙段と、印刷するシートを給紙する給紙段とを切替えてタブ付シートとシートとを給紙するシート給紙手段と、
１つのジョブで設定される部数印刷中に給紙すべき最後のタブ付シートを給紙した後、１組複数枚のタブ付シート中で使用されたタブ付シート枚数から余剰となるタブ付シートを連続して給紙し、最後の部に対応するシートを給紙するように前記シート給紙手段を制御する制御手段と、
を備えることを特徴とする印刷装置。
【請求項２】
１つのジョブの印刷中に給紙されるタブ付シートの枚数をカウントするカウント手段を備え、
前記制御手段は、１つのジョブで設定される部数印刷中に給紙すべき最後のタブ付シートを給紙した後、前記カウント手段がカウントしたタブ付シートの枚数と１組複数枚のタブ付シート中で使用されたタブ付シート枚数とから余剰となるタブ付シートを連続して給紙し、最後の部に対応するシートを給紙するように前記シート給紙手段を制御することを特徴とする請求項１記載の印刷装置。
【請求項３】
印刷すべきジョブを解析して使用するタブ付シートの枚数を特定する特定手段を備え、
前記制御手段は、１つのジョブで設定される部数印刷中に給紙すべき最後のタブ付シートを給紙した後、前記特定手段が特定したタブ付シートの枚数と１組複数枚のタブ付シート中で使用されたタブ付シート枚数とから余剰となるタブ付シートを連続して給紙し、最後の部に対応するシートを給紙するように前記シート給紙手段を制御することを特徴とする請求項１記載の印刷装置。
【請求項４】
タブ付シート、又はシートを給紙して印刷処理を行う印刷装置の制御方法であって、
前記タブ付シートを給紙する給紙段と、印刷するシートを給紙する給紙段とを切替えてタブ付シートとシートとを給紙するシート給紙工程と、
１つのジョブで設定される部数印刷中に給紙すべき最後のタブ付シートを給紙した後、１組複数枚のタブ付シート中で使用されたタブ付シート枚数から余剰となるタブ付シートを連続して給紙し、最後の部に対応するシートを給紙するように前記シート給紙工程を制御する制御工程と、
を備えることを特徴とする印刷装置の制御方法。
【請求項５】
１つのジョブの印刷中に給紙されるタブ付シートの枚数をカウントするカウント工程を備え、
前記制御工程は、１つのジョブで設定される部数印刷中に給紙すべき最後のタブ付シートを給紙した後、前記カウント工程がカウントしたタブ付シートの枚数と１組複数枚のタブ付シート中で使用されたタブ付シート枚数とから余剰となるタブ付シートを連続して給紙し、最後の部に対応するシートを給紙するように前記シート給紙工程を制御することを特徴とする請求項４記載の印刷装置の制御方法。
【請求項６】
印刷すべきジョブを解析して使用するタブ付シートの枚数を特定する特定工程を備え、
前記制御工程は、１つのジョブで設定される部数印刷中に給紙すべき最後のタブ付シートを給紙した後、前記特定工程が特定したタブ付シートの枚数と１組複数枚のタブ付シート中で使用されたタブ付シート枚数とから余剰となるタブ付シートを連続して給紙し、最後の部に対応するシートを給紙するように前記シート給紙工程を制御することを特徴とする請求項４記載の印刷装置の制御方法。
【請求項７】
請求項４に記載の印刷装置の制御方法をコンピュータに実行させることを特徴とするプログラム。
【発明の詳細な説明】
【技術分野】
【０００１】
本発明は、タブ付シートを給紙して印刷処理をおこなう印刷装置、印刷装置の制御方法、及びプログラムに関する。
【背景技術】
【０００２】
従来から、通常サイズの用紙よりなる出力束内の予め定めた位置にタブ付きシート（インデックス紙とも言う）を挿入し、見出し付けや章分けをしたドキュメントが作成可能な、タブ合紙モードを有する複写機及びプリンタが提案されている。使用されるタブ付きシートは予め定めた枚数を組み合わせて１セットとされ、例えば、５タブ付きシートならば５枚で１セットである。
【０００３】
しかし、タブ合紙位置が２ケ所しか設定されていないのに、５枚のタブ付きシートがセットされた場合は、余剰のタブ付きシートが３枚発生することになる。余剰のタブ付シートを取り除くことなく、次の部またはジョブを印刷した場合、前に出力した印刷物とタブの位置が異なってしまう問題がある。
【０００４】
しかしながら、この余剰のタブ付シートをユーザが予め取り除いてセットすることは煩わしい。この煩わしさを軽減するために、余剰のタブ付シートを部やジョブの切れ目などに自動的に排紙することで、次の部またはジョブでタブ付シートの先頭から印刷することができる技術が提案されている（例えば、特許文献１参照）。
【先行技術文献】
【特許文献】
【０００５】
【特許文献１】特開２００３−４０５１７号公報
【発明の概要】
【発明が解決しようとする課題】
【０００６】
しかしながら、余剰のタブ付シートを排紙する際に、給紙段切り替えや両面、片面の切り替えが余分に発生する場合がある。
例えば、図１０に示すように、１部分の印刷物１００１の印刷終了後に、余剰なタブ紙を排紙した場合、Ａで給紙段の切替をした後、普通紙を給紙する。そして、普通紙３枚を給紙した後、給紙段の切替をして、余剰なタブ紙を排紙する。そして、余剰なタブ紙を給紙した後、Ｂで給紙段の切替をして、次の部の普通紙を給紙する。
【０００７】
このような給紙段の切替えを行う場合には、用紙の搬送経路の変更やジャム防止などのため、用紙の搬送間隔を開けている。そのため、給紙段の切替回数が多くなると、その分印刷完了までの時間が長くなり、生産性が低下してしまう。
【０００８】
また、普通紙を両面印刷している場合には、余剰なタブ紙を排紙するために、両面印刷用の搬送経路から片面印刷用の搬送経路へ切替える必要があり、そのために用紙の搬送間隔が開いてしまい、生産性が低下する。
【０００９】
このように、給紙段の切替えや両面、片面の切替えを行うことにより、生産性が落ちてしまう。そのため、余剰のタブ紙を排紙する前後の用紙が、タブ紙でない場合は、給紙段の切替えや両面、片面の切替えが必要となり生産性が落ちてしまうという問題がある。
【００１０】
本発明は、上記の課題を解決するためになされたもので、本発明の目的は、１つのジョブの印刷で最後に使用するタブ付シートの給紙後、続けて給紙されないで余剰となるタブ付シートを給紙して排紙できる仕組みを提供することである。
【課題を解決するための手段】
【００１１】
上記目的を達成する本発明の印刷装置は以下に示す構成を備える。
タブ付シート、又はシートを給紙して印刷処理を行う印刷装置であって、前記タブ付シートを給紙する給紙段と、印刷するシートを給紙する給紙段とを切替えてタブ付シートとシートとを給紙するシート給紙手段と、１つのジョブで設定される部数印刷中に給紙すべき最後のタブ付シートを給紙した後、１組複数枚のタブ付シート中で使用されたタブ付シート枚数から余剰となるタブ付シートを連続して給紙し、最後の部に対応するシートを給紙するように前記シート給紙手段を制御する制御手段と、を備えることを特徴とする。
【発明の効果】
【００１２】
本発明によれば、１つのジョブの印刷で最後に使用するタブ付シートの給紙後、給紙段や排紙段を切替えることなく、続けて給紙されないで余剰となるタブ付シートを給紙して排紙できる。
【図面の簡単な説明】
【００１３】
【図１】印刷システムの構成を示すブロック図である。
【図２】図１に示した印刷装置の構成を説明するブロック図である。
【図３】図２に示した操作部に表示されるＵＩの例を示す図である。
【図４】図１に示したコンピュータ端末の表示されるＵＩを示す図である。
【図５】図１に示したコンピュータ端末の表示されるＵＩを示す図である。
【図６】印刷装置のジョブ処理を説明するフローチャートである。
【図７】印刷装置のジョブ処理を説明するフローチャートである。
【図８】印刷装置のジョブ処理を説明するフローチャートである。
【図９】印刷装置におけるジョブ処理状態を説明する図である。
【図１０】従来の印刷装置におけるジョブ処理状態を説明する図である。
【発明を実施するための形態】
【００１４】
次に本発明を実施するための最良の形態について図面を参照して説明する。
〔第１実施形態〕
以下、本発明の発明を実施するための最良の形態について図面を用いて説明する。
［システムの概要説明］
図１は、本発明の印刷システムの構成を示すブロック図である。
図１において、印刷システムは、印刷装置１０１とコンピュータ端末１０３とを含み、それらはネットワーク１０２に接続されている。
印刷装置１０１は、複数の給紙装置１０４と複数の排紙トレイ１０７を備えるシート処理装置１０５を備えている。
コンピュータ端末１０３は、アプリケーションで作成した印刷データを印刷装置１０１に送信する。
印刷装置１０１は、コンピュータ端末１０３から受信した画像データに基づいて画像データを生成し、シート給紙手段として機能する給紙装置１０４から給紙したシートに対して印刷し、印刷されたシートを排紙トレイ１０７に排紙する。
本実施形態における印刷装置１０１は、タブ付シートを給紙するシート給紙手段として機能するインサータ１０６を備え、さらに、インサータから給紙されたタブシートを排紙トレイ１０７に排紙することが可能に構成されている。ここで、インサータ１０６は、タブ付シートを給紙する給紙段として機能し、給紙装置１０４は印刷すべきシートを給紙する給紙段として機能する。１０８は印刷処理を行うプリンタ部である。なお、インサータ１０６は、タブ位置が異なる複数枚のタブ付シート１束が１組として積載され、インサータ１０６から１枚ずつ分離されて給紙される。
【００１５】
［印刷装置の構成］
図２は、図１に示した印刷装置の構成を説明するブロック図である。本実施形態では、印刷装置の例として、ＭＦＰ（Multi Function Peripheral）の例を示す。
【００１６】
図２において、ＭＦＰ制御部２０１は、ＣＰＵや、ＣＰＵによって読み出される各種プログラムを格納するＲＯＭ、ＣＰＵのワークメモリとして機能するＲＡＭを備え、ＣＰＵがＲＯＭに記憶されたプログラムを実行することによってＭＦＰを統括的に制御する。コンピュータ端末１０３からネットワーク１０２を介し、印刷データが投入されると、ＮＩＣ部／ＲＩＰ部２０２は、ネットワークを利用して入力された印刷データ（主に、ＰＤＬデータ）を受信する。そして、ＮＩＣ部／ＲＩＰ部２０２は、受信した印刷データを解読し、メモリ部２０３を使用してＲＩＰ展開する。ここで、ＲＩＰとは、Ｒａｓｔｅｒ  Ｉｍａｇｅ  Ｐｒｏｃｅｓｓｏｒを意味する。
【００１７】
次に、ＮＩＣ部／ＲＩＰ部２０２で展開された印刷データは、ＭＦＰ制御部２０１に送られる。ＭＦＰ制御部２０１は、入力されるデータや出力するデータを制御する交通整理の役割を果たしている。
【００１８】
また、ＭＦＰ制御部２０１はＮＩＣ部／ＲＩＰ部２０２から送られてきた画像データを一旦メモリ部２０３に格納する。メモリ部２０３に格納された多値の画像データは一時的に格納されたり、必要に応じて呼び出された上で出力画像処理部２０４に送られたりする。
【００１９】
出力画像処理部２０４は、送られてきた多値の画像データに対してプリントするための画像処理を施した上で、プリンタ部１０８に送る。
プリンタ部１０８では、シートを給紙し、出力画像処理部２０４から送られてきた印刷データをそのシート上に順次画像形成していく。
更に、操作部２０６は、ＭＦＰが備えるタッチパネルディスプレイを制御する。具体的に、操作部２０６は、コピーやＦＡＸなどの機能の操作、ＭＦＰの各種設定の操作を制御し、その結果をＭＦＰ制御部２０１に出力する。プリンタ部１０８は、ＭＦＰ制御部２０１によって制御される例を説明するが、プリンタ部１０８がＭＦＰ制御部２０１とは異なる制御部を独自に有し、当該制御部がプリンタ部１０８を制御してもよい。
【００２０】
以下、本実施形態を示す印刷装置におけるタブ付シートの登録処理について説明する。
印刷装置１０１の給紙装置１０４にシートをセットした場合、ユーザは、操作部２０６を操作して、シートの種類の設定を促す画面を表示させる。特に、タブ付シートを給紙装置１０４にセットした場合は、図３に示すように何枚で１セットかを設定する画面を表示する。領域３０１は、現在設定しようとしている１組のタブ付シートの枚数を表示する。マイナスキー３０２、プラスキー３０３によって、１組のタブ付シーの枚数を増減させることができる。ＯＫキー３０４を押すことで、印刷装置１０１にセットしたタブ付シート１組の枚数を決定する。
【００２１】
以下、本実施形態を示す印刷装置における余剰なタブ付シートの排紙処理について説明する。
印刷ジョブの１部当たりに使用するタブ付シートが、印刷装置１０１にセットしたタブ付シート１組の枚数の整数倍になっていない場合、続けて次部の印刷を行うと、タブの位置のズレが生じてしまう。そのため、次部を印刷する前に余剰なタブ付シートを排紙する必要がある。排紙先は印刷物と別のトレイであることが望ましい。余剰なタブ付シートの排紙制御については、後述する実施形態で述べる。
【００２２】
以下、本実施形態を示す印刷装置におけるタブ付シートを使用するジョブの設定処理について説明する。
本実施形態では、タブ付シートを使用するジョブは、コンピュータ端末１０３において、プリンタドライバを用いて設定する。
図４、図５は、図１に示したコンピュータ端末１０３の表示装置に表示されるユーザインタフェースの一例を示す図である。図４は、プリンタドライバが表示装置に表示した印刷ジョブで使用する用紙を設定する画面例であり、図５は。ページ／ページ範囲用用紙設定画面例である。
【００２３】
図４において、ページ設定ボックス４０１は各ページで使用する用紙のサイズ、種類、片面両面、用紙トレイの設定を表示する欄である。ここで、本文と書かれた行は、印刷ドキュメント全体の設定である。２，５，８と書かれた行は、本文の設定には従わない例外的な設定である。
【００２４】
図４に示す例の場合、２，５，８ページは両面オフ、インデックス紙、Ａ４、カセット２と設定されている。
この例外設定は、ページ範囲定義ボタン４０２で設定する。ユーザがページ範囲定義ボタン４０２ボタンを押すと、プリンタドライバは、図５に示すページ／ページ範囲用用紙設定画面５０１を表示する。
【００２５】
ページ範囲設定ボックス５０２には、図４で説明したように例外的なページの入力欄（本画面では、２，５，８ページ）である。
両面設定ボックス５０３は、両面のオン／オフの設定欄である。用紙サイズ設定ボックス５０４は、使用する用紙の設定欄である。用紙の種類設定ボックス５０５は、用紙の種類の設定欄である。用紙トレイ５０６は、用紙トレイの設定欄である。設定を行った後に定義追加ボタン５０７を押下すると、４０１のページ設定ボックスに設定が反映される。閉じるボタン５０８を押下することで、図４の用紙設定画面に戻る。
【００２６】
これらの設定が完了した後、プリンタドライバから印刷指示を出すと、プリンタドライバは、ページ設定ボックス４０１の設定に従い印刷装置１０１に印刷ジョブを投げる。
以下、１部目は使用するタブ付シートの枚数をカウントしながら印刷し、１部目の印刷が終了したら余剰のタブ付シートを排紙する。２部目以降では、１部目と同じ枚数のタブ付シートを排紙したのに続けて、余剰のタブ付シートを排紙する実施形態について説明する。
【００２７】
図６、図７は、本実施形態を示す印刷装置のジョブ処理を説明するフローチャートである。なお、Ｓ６０１〜Ｓ６０６、Ｓ７０１〜Ｓ７０６に示すステップは、ＭＦＰ制御部２０１が、ＲＯＭやハードディスク（ＨＤＤ）からＲＡＭに制御プログラムをロードして実行することで実現される。１部目の印刷におけるフローチャートである。以下、１つのジョブで設定される部数印刷中に給紙すべき最後のタブ付シートを給紙した後、ＭＦＰ制御部２０１による印刷制御を説明する。具体的には、ＭＦＰ制御部２０１が１組複数枚のタブ付シート中で使用されたタブ付シート枚数から余剰となるタブ付シートを１つのジョブで使用する最後のタブ付シートに連続して給紙する例（図９参照）を説明する。なお、プリンタ部１０８は、ＭＦＰ制御部２０１からの指示に従って、図６、図７に示される処理とは並列して印刷を実行する。
【００２８】
ＮＩＣ部／ＲＩＰ部２０２は、ネットワーク１０２を介してコンピュータ端末１０３から送信された印刷ジョブを、ＭＦＰ制御部２０１が有するＲＡＭ等に設けられた受信バッファに受信する。ここで、ＭＦＰ制御部２０１は、ＮＩＣ部／ＲＩＰ部２０２を用いてページの解析を開始する。そして、Ｓ６０１で、ＭＦＰ制御部２０１は、ＮＩＣ部／ＲＩＰ部２０２による印刷ジョブのページ解析が終了したかを判定する。Ｓ６０１で、ＭＦＰ制御部２０１がページ解析を終了したと判定した場合、Ｓ６０２に処理を進める。そして、Ｓ６０２で、ＭＦＰ制御部２０１は、１部目の印刷が完了しているかどうかを判定する。Ｓ６０２の詳細は後述する。
【００２９】
一方、Ｓ６０１でページ解析が終了していないと判定された場合、ＭＦＰ制御部２０１は、Ｓ６０３に処理を進める。そして、Ｓ６０３で、ＭＦＰ制御部２０１は、ＮＩＣ部／ＲＩＰ部２０２を用いてページの解析を行う。ＭＦＰ制御部２０１は、解析が終わったページの情報に基づき、１枚のシートに印刷すべきページの解析が完了した場合に、そのページの画像データとそのページの印刷指示を出力画像処理部２０４を介して、プリンタ部１０８に送信する。この印刷指示には、片面／両面の指示や縮小レイアウトの指示等の印刷体裁の指示が含まれ、プリンタ部１０８はＭＦＰ制御部２０１から受信したページを、指示された印刷体裁で印刷する。
【００３０】
次に、Ｓ６０４で、ＭＦＰ制御部２０１は、Ｓ６０３で解析されたページが、タブ付シートを使用して印刷されるものかどうかを判定する。タブ付シートを使用しないと判定された場合、ＭＦＰ制御部２０１はＳ６０１に処理を進める。
【００３１】
一方、Ｓ６０４で、タブ付シートを使用すると判定された場合、ＭＦＰ制御部２０１は、Ｓ６０５に処理を進める。
そして、Ｓ６０５で、ＭＦＰ制御部２０１は、１部当たりに使用するタブ付シート数をインクリメントし、インクリメントされた値をメモリ部２０３に記憶する。その後、Ｓ６０１へ戻る。
【００３２】
一方、Ｓ６０１で１部の全ページの解析が終わると、Ｓ６０２で、ＭＦＰ制御部２０１は、１部目の印刷を完了したか判定する。Ｓ６０２で、プリンタ部１０８によって１部目の印刷が完了したとＭＦＰ制御部２０１が判定した場合、Ｓ６０６へ処理を進める。そして、Ｓ６０６で、ＭＦＰ制御部２０１が、１部目の印刷物で使用されなかった余剰タブ付シートの排紙を行う。ここで、ＭＦＰ制御部２０１はメモリ部２０３に記憶した１部当たりに使用するタブ付シート数が、ＭＦＰ１０１にセットされたタブ付シートの整数倍でない場合に、整数倍になるように余剰のタブ付シートを連続して排紙する。
【００３３】
続けて、図７を用いて、２部目以降の印刷について述べる。
Ｓ７０１で、ＭＦＰ制御部２０１は、ジョブが終了したかを判定する。ここで、ジョブが終了したとＭＦＰ制御部２０１が判定した場合は本処理を終える。
一方、Ｓ７０１で、ジョブがまだ終了していないとＭＦＰ制御部２０１が判定した場合はＳ７０２へ進む。
そして、Ｓ７０２で、ＭＦＰ制御部２０１は出力画像処理部２０４を介して、プリンタ部１０８へ印刷指示を行う。次に、Ｓ７０３では、ＭＦＰ制御部２０１は、Ｓ７０２で印刷したシートがタブ付シートであるかを判定する。ここで、タブ付シートでないとＭＦＰ制御部２０１が判定した場合は、Ｓ７０１へ進む。
【００３４】
一方、Ｓ７０３で印刷したシートがタブ付シートであるとＭＦＰ制御部２０１が判定した場合は、Ｓ７０４へ進む。
そして、Ｓ７０４で、ＭＦＰ制御部２０１は印刷したタブ付シートの枚数をインクリメントする。Ｓ７０５では、ＭＦＰ制御部２０１はＳ７０２で印刷したシートが部の最後のタブ付シートであるかを判定する。すなわち、ＭＦＰ制御部２０１は１部目でカウントしたタブ付シートの枚数分、タブ付シートを印刷したかを判定する。
【００３５】
ここで、最後のタブを印刷していないとＭＦＰ制御部２０１が判定した場合は、Ｓ７０１へ戻る。
一方、Ｓ７０５で最後のタブを印刷したとＭＦＰ制御部２０１が判定した場合は、Ｓ７０６へ進む。そして、Ｓ７０６で、ＭＦＰ制御部２０１は、余剰のタブ付シートを連続して排紙した後、Ｓ７０１へ戻る。なお、余剰のタブ付シートの枚数は、１部目と同じなので、Ｓ６０６で判定された枚数分の排紙を行う。
【００３６】
〔第２実施形態〕
上記第１実施形態ではページ解析を行いながらの印刷について述べたが、本実施形態では逆順印刷など、印刷前に全ページの解析を行ってから印刷する場合について説明する。すなわち、印刷１部目の印刷前に使用するタブ付シートの枚数が分かる例の場合である。
【００３７】
図８は、本実施形態を示す印刷装置のジョブ処理を説明するフローチャートである。なお、Ｓ８０１〜Ｓ８０４に示すステップは、ＭＦＰ制御部２０１が、ＲＯＭやハードディスク（ＨＤＤ）からＲＡＭに制御プログラムをロードして実行することで実現される。
【００３８】
ＭＦＰ制御部２０１は、ネットワークを介してコンピュータ端末１０３からＮＩＣ部／ＲＩＰ部２０２を介して受信した印刷ジョブをＲＡＭ等に確保される受信バッファに記憶する。ここで、ＭＦＰ制御部２０１は、ＮＩＣ部／ＲＩＰ部２０２を用いてページの解析を開始する。そして、Ｓ８０１で、印刷ジョブを受けたＭＦＰ制御部２０１は、Ｓ８０１でページ解析が終了したかを判定する。Ｓ８０１でページ解析が終了したと判定された場合、ＭＦＰ制御部２０１はＳ７０１へ処理を進める。
【００３９】
一方、Ｓ８０２でページ解析を終了していないと判定された場合、ＭＦＰ制御部２０１はＳ８０２に処理を進める。
そして、Ｓ８０２で、ＭＦＰ制御部２０１は、ＮＩＣ部／ＲＩＰ部２０２を用いてページの解析を行う。次に、Ｓ８０３では、ＭＦＰ制御部２０１は、Ｓ８０２での解析結果により、タブ付シートが含まれるかを判定する。Ｓ８０３でタブ付シートがないと判定された場合、ＭＦＰ制御部２０１はＳ８０１に処理を戻す。
【００４０】
一方Ｓ８０３でタブ付シートがあると判定された場合、ＭＦＰ制御部２０１はＳ８０４に処理を進める。
そして、Ｓ８０４で、ＭＦＰ制御部２０１は、ＭＦＰ制御部２０１は１部当たりに使用するタブ付シートの枚数をインクリメントし、インクリメントされた値をメモリ部２０３に記憶する。このようにして、ページ解析が全て終わると、図７のフローに移る。なお、図７の処理は第１実施形態と同様であるので省略する。
【００４１】
以上の第１の実施形態または第２の実施形態に示すような制御を行うことにより、例えば、図９に示すようなタブ紙の排紙制御を行うことができる。
図９は、本実施形態を示す印刷装置におけるジョブ処理状態を説明する図である。本例は、９ページからなるジョブを複数部数印刷する場合に、排紙されるシートの順序を示している。図９において、ＦＳＨは、ＭＦＰ制御部２０１が１組複数枚のタブ付シート中で使用されたタブ付シート枚数から余剰となるタブ付シートを１つのジョブで使用する最後のタブ付シートに連続して給紙するシートである。シートＦＳＨは最後の部に対応するシートである。
【００４２】
このように、余剰なタブ紙を、最後に給紙されたタブ紙の直後に排紙することによって、図１０に示す従来のジョブ処理に比べて、給紙段の切替回数を少なくすることができる。そのため、給紙段の切替による生産性の低下を極力抑えることができる。
【００４３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００４４】
本発明は上記実施形態に限定されるものではなく、本発明の趣旨に基づき種々の変形（各実施形態の有機的な組合せを含む）が可能であり、それらを本発明の範囲から除外するものではない。
【００４５】
本発明の様々な例と実施形態を示して説明したが、当業者であれば、本発明の趣旨と範囲は、本明細書内の特定の説明に限定されるのではない。
【符号の説明】
【００４６】
２０１  ＭＦＰ制御部
２０２  ＮＩＣ部ＲＩＰ部  
【図１】
0005503434.tif 000002
【図２】
0005503434.tif 000003
【図３】
0005503434.tif 000004
【図４】
0005503434.tif 000005
【図５】
0005503434.tif 000006
【図６】
0005503434.tif 000007
【図７】
0005503434.tif 000008
【図８】
0005503434.tif 000009
【図９】
0005503434.tif 000010
【図１０】
0005503434.tif 000011